(57)【特許請求の範囲】
【請求項１】
室内機と、室外機とを備える空気調和機において、
前記室内機は、
前記室内機の所定の箇所に設けられ、室内の空気温度を検知する室内空気温度検知部と、
前記室内機の前面に設けられ、床面、壁面、天井付近の温度を検知する床面・壁面・天井付近温度検知部と、
前記空気調和機の制御に係るプログラムが組み込まれていて、前記室内空気温度検知部で検知された前記室内の空気温度と前記床面・壁面・天井付近温度検知部で検知された前記床面、前記壁面の温度とからユーザーの体感温度を算出するマイクロコンピュータを内蔵する制御装置と、を備え、
前記制御装置は、暖房運転もしくは送風運転において、前記床面・壁面・天井付近温度検知部で検知された前記天井付近の温度が、ユーザーが設定する室内空間の設定温度よりも所定の閾値以上高くなったときに、前記体感温度と前記設定温度とを比較し、前記体感温度が前記設定温度よりも高い場合のみ、自動で天井付近に溜まった空気を床面に移動させるサーキュレータ運転を行うことを特徴とする空気調和機。
【請求項２】
室内機と、室外機とを備える空気調和機において、
前記室内機は、
前記室内機の所定の箇所に設けられ、室内の空気温度を検知する室内空気温度検知部と、
前記室内機の前面に設けられ、床面、壁面、天井付近の温度を検知する床面・壁面・天井付近温度検知部と、
前記空気調和機の制御に係るプログラムが組み込まれていて、前記室内空気温度検知部で検知された前記室内の空気温度と前記床面・壁面・天井付近温度検知部で検知された前記床面、前記壁面の温度とからユーザーの体感温度を算出するマイクロコンピュータを内蔵する制御装置と、を備え、
前記制御装置は、暖房運転もしくは送風運転において、前記床面・壁面・天井付近温度検知部で検知された前記天井付近の温度が、前記体感温度よりも所定の閾値以上高くなったときに、前記体感温度とユーザーが設定する室内空間の設定温度とを比較し、前記体感温度が前記設定温度よりも高い場合のみ、自動で天井付近に溜まった空気を床面に移動させるサーキュレータ運転を行うことを特徴とする空気調和機。
【請求項３】
室内機と、室外機とを備える空気調和機において、
前記室内機は、
前記室内機の所定の箇所に設けられ、室内の空気温度を検知する室内空気温度検知部と、
前記室内機の前面に設けられ、床面、壁面、天井付近の温度を検知する床面・壁面・天井付近温度検知部と、
前記空気調和機の制御に係るプログラムが組み込まれていて、前記室内空気温度検知部で検知された前記室内の空気温度と前記床面・壁面・天井付近温度検知部で検知された前記床面、前記壁面の温度とからユーザーの体感温度を算出するマイクロコンピュータを内蔵する制御装置と、を備え、
前記制御装置は、暖房運転もしくは送風運転において、前記床面・壁面・天井付近温度検知部で検知された前記天井付近の温度が、前記床面・壁面・天井付近温度検知部で検知された前記床面、前記壁面の温度よりも所定の閾値以上高くなったときに、前記体感温度とユーザーが設定する室内空間の設定温度とを比較し、前記体感温度が前記設定温度よりも高い場合のみ、自動で天井付近に溜まった空気を床面に移動させるサーキュレータ運転を行うことを特徴とする空気調和機。
【請求項４】
前記床面・壁面・天井付近温度検知部に、複数の素子が内蔵された多素子のサーモパイル型赤外線センサーを用いたことを特徴とする請求項１乃至３のいずれかに記載の空気調和機。
【請求項５】
前記制御装置に設けられ、前記室内空気温度検知部で検知された前記室内の空気温度が前記設定温度に達した場合に停止する圧縮機が単位時間当たりに停止した回数をカウントして記憶する圧縮機停止回数カウント部を備え、
前記制御装置は、暖房運転において、前記圧縮機停止回数カウント部でカウントされた回数が、ある閾値以上になったときにも、前記体感温度と前記設定温度とを比較し、前記体感温度が前記設定温度よりも高い場合のみ、自動で前記サーキュレータ運転を行うことを特徴とする請求項１乃至４のいずれかに記載の空気調和機。
【発明の詳細な説明】
【技術分野】
【０００１】
この発明は、空気調和機に関するものである。
【背景技術】
【０００２】
従来、調和された風を吹出口から吹き出して室内空間を調和する空気調和機において、天井付近の第１空間の第１温度を検出する手段と床付近の第２空間の第２温度を検出する手段とを設け、前記第１温度と第２温度との温度差が所定以上になった場合に、前記空調対象空間内の空気を攪拌する攪拌運転を行う攪拌運転を備えた空気調和機が開示されている。（例えば、特許文献１参照）。
【先行技術文献】
【特許文献】
【０００３】
【特許文献１】特開２００７−３２２０６２号公報
【発明の概要】
【発明が解決しようとする課題】
【０００４】
しかしながら、上記特許文献１記載の空気調和機は、天井付近の第１温度と床付近の第２温度との差のみで制御をおこなっているため、空気調和機運転開始後ユーザーが設定した設定温度に達していない場合、もしくは、外気温度が低い場合など攪拌運転を実施すると逆に室内空間のユーザーのいる付近の温度を低下させ、不快に感じるという課題があった。
【０００５】
この発明は、上記のよう課題を解決するためになされたもので、暖房運転もしくは送風運転において、室内空間がユーザーが設定した温度に近づき、設定した温度に対し天井付近の温度が高い場合に、室内空間のユーザーが居る付近の温度を低下させることなく快適な室内空間をつくりあげる空気調和機を提供する。
【課題を解決するための手段】
【０００６】
この発明に係る空気調和機は、室内機と、室外機とを備える空気調和機において、
室内機は、
室内機の所定の箇所に設けられ、室内の空気温度を検知する室内空気温度検知部と、
室内機の前面に設けられ、床面、壁面、天井付近の温度を検知する床面・壁面・天井付近温度検知部と、
空気調和機の制御に係るプログラムが組み込まれているマイクロコンピュータを内蔵する制御装置と、を備え、
制御装置は、暖房運転もしくは送風運転において、床面・壁面・天井付近温度検知部が検知する天井付近の温度が、ユーザーが設定する室内空間の設定温度に対して所定の閾値以上になったときに、天井付近に溜まった空気を床面に移動させるサーキュレータ運転行うものである。
【発明の効果】
【０００７】
この発明に係る空気調和機は、室内の制御装置が、暖房運転もしくは送風運転において、床面・壁面・天井付近温度検知部が検知する天井付近の温度が、ユーザーが設定する室内空間の設定温度に対して所定の閾値以上になったときに、天井付近に溜まった空気を床面に移動させるサーキュレータ運転行うので、室内空間のユーザーが居る付近の温度を低下させることなく快適な室内空間をつくりあげることができる。
【図面の簡単な説明】
【０００８】
【図１】実施の形態１を示す図で、空気調和機の室内機１０の正面図。
【図２】実施の形態１を示す図で、空気調和機の室外機２０の分解斜視図。
【図３】実施の形態１を示す図で、空気調和機で空気を調和する室内空間３０と空気調和機（室内機１０、室外機２０）の配置関係を示す断面図。
【図４】実施の形態１を示す図で、空気調和機で空気を調和する室内空間３０と空気調和機のセンシングエリアの関係を示す斜視図。
【図５】実施の形態１を示す図で、動作のフローチャートを示す図。
【図６】実施の形態１を示す図で、空気調和機で空気を調和する室内空間３０と暖房運転時の風向を示す断面図。
【図７】実施の形態１を示す図で、空気調和機で空気を調和する室内空間３０と暖房運転時の設定温度に達したときの風向を示す断面図。
【図８】実施の形態１を示す図で、空気調和機で空気を調和する室内空間３０とサーキュレート運転時の風向を示す断面図。
【図９】実施の形態２を示す図で、動作のフローチャートを示す図。
【発明を実施するための形態】
【０００９】
実施の形態１．
図１は実施の形態１を示す図で、空気調和機の室内機１０の正面図である。図１に示すように、室内機１０は、その前面下部の調和空気（図示しない室内熱交換器で、冷却・加熱・除湿等がなされた空気）の吹出口１２の右上に、リモコン（図示せず、遠隔制御装置）の送信部（図示せず）からの赤外線信号を受信する受信部１５を備える。
【００１０】
また、受信部１５同様に調和空気の吹出口１２の右上に、リモコンに赤外線信号を送信する送信部１６を備える。送信部１６には、赤外ＬＥＤ（発光ダイオート）を使用している。
【００１１】
また、室内機１０にはプラグ１８が設けられ、室内のコンセントより電源（商用電源（５０／６０Ｈｚ））が供給される。
【００１２】
室内機１０と室外機２０（後述する）との情報及び制御のやりとりを行うケーブル４０が、室内機１０の背面の所定の位置に接続されている。一例では、背面から見て室内機１０の左隅に、ケーブル４０は接続されている。
【００１３】
また、室内の空気温度を測定する室内温度センサー１３（室内空気温度検知部）や室内の空気湿度を測定する湿度センサー（図示せず）が、例えば、室内空気の吸込口１１の近傍や室内機の側面に空隙を設け風の流れをつくり、風の流れのある箇所に設けられている。
【００１４】
また、室内機１０には、床・壁の輻射熱や、人の温度を測定することができるサーモパイル型赤外線センサー１４が設けられている。
【００１５】
また、図示はしないが、室内熱交換器には管温を測定する管温センサーが設けられている。
【００１６】
また、図示はしないが、空気調和機の運転を制御する制御装置に内蔵された室内マイクロコンピュータが、例えば、室内機１０の電気品箱（図示せず）に収納されている。室内マイクロコンピュータには、制御に関係するプログラムが組み込まれている。
【００１７】
また、図示はしないが、空気調和機の室内機１０には、吸込口１１から取り込まれた室内空気が、エアフィルター、室内熱交換器（プレートフィン型）、吹出口１２の順にながれ、風向板１７によって調和空気を室内に送り込まれるように、送風装置が筐体の中に搭載されている（ここで送風装置とは、クロスフローファン、軸流送風機、シロッコファンなどと、それらを駆動するモータのことを示す）。
【００１８】
図２は実施の形態１を示す図で、空気調和機の室外機２０の分解斜視図である。図２に示すように、空気調和機の室外機２０は、空気調和機の運転を制御する室外制御装置２１に内蔵された室外マイクロコンピュータが、例えば、室外機２０の電気品箱に収納されている。
【００１９】
また、室外機２０には、室外空気温度を測定する室外温度センサー２３が内蔵されている。室外温度センサー２３は、例えば、サーミスタで構成される。
【００２０】
また、室外機２０には、冷凍サイクルを構成する圧縮機２２（冷媒を圧縮するもので、例えば、ロータリ圧縮機、スクロール圧縮機、レシプロ圧縮機などがある）、熱交換器２４（プレートフィン型）、減圧装置（電子膨張弁）、四方弁などが搭載されている。
【００２１】
また、熱交換器２４の冷媒と空気との熱交換を促進するために、熱交換器２４に送風を行う送風機２５が設けられる。送風機２５には、軸流送風機が使用される。
【００２２】
図３は実施の形態１を示す図で、空気調和機で空気を調和する室内空間３０と空気調和機（室内機１０、室外機２０）の配置関係を示す断面図である。図３の空気調和機の室内機１０および室外機２０の据付例に示すように、室内空間の壁面上部に室内機１０、室外に室外機２０を据え付け、情報及び制御のやりとりを行うケーブル４０と、室内熱交換器と室外熱交換器とを接続する冷媒配管（図示せず）で室内機１０と室外機２０が接続されている。
【００２３】
図３に示すように、室内空間３０に据え付けられた室内機１０では、室内空気温度を測定する室内温度センサー１３、室内湿度を測定する湿度センサー（図示せず）、及び室内機１０から離れた箇所の温度を検知することができるサーモパイル型赤外線センサー１４を具備する。サーモパイル型赤外線センサー１４は、垂直方向に複数の素子で構成し、検知範囲Ｘを複数の範囲に分けて測定することができる。
【００２４】
そのため、図３に示すように、サーモパイル型赤外線センサー１４は、床面、壁面、天井付近の温度（床面・壁面温度Ｃ３２、天井付近温度Ｔａ３１）を検知することができる。
【００２５】
図４は実施の形態１を示す図で、空気調和機で空気を調和する室内空間３０と空気調和機のセンシングエリアの関係を示す斜視図である。また、図４に示すように、サーモパイル型赤外線センサー１４を室内機１０の垂直方向を軸として回転させることで左右方向の温度を検出し、高さ方向だけでなく、室内空間３０の横方向も複数の素子が配置されているかのように、検知することができる。
【００２６】
また、サーモパイル型赤外線センサー１４は、床面、壁面、天井付近の温度だけでなく人の表面温度も測定することができるため、垂直方向に設けられた素子およびその素子を回転移動させ擬似的に室内空間３０を複数の素子で温度を測定できることより、周囲の温度に対し温度が高いものがあった場合に、その位置を人がいる位置と定めることができる。
【００２７】
また、その人と判断した熱源を記憶させることで、熱源が動いているか、停止しているかで、人が活動しているのか、また、安静にしているのか見分けることができる。
【００２８】
また、人と判断した熱源の動きを記憶させることで、人の活動範囲を把握することができユーザーの部屋の形状を推測することができる。
【００２９】
次に動作について説明する。
図５は実施の形態１を示す図で、空気調和機の動作を示すフローチャート図である。図５は、暖房運転時のフローチャートである。ユーザーは、リモコン（図示せず）などの運転内容設定手段を用いて室内空間の設定温度Ａを決め、室内機１０に送信し、運転を開始する（設定温度Ａを、例えば２４℃とする）。
【００３０】
運転を開始すると（Ｓ１０）、室内機１０は、吹出口１２から吹き出される調和空気が、吹出口１２の水平面以上の天井側になるように風向板１７を上向きにし（Ｓ１１）、室内空間３０の室内温度を室内温度センサー１３で室温を検出し、サーモパイル型赤外線センサー１４で床面、壁面の温度を検出する（Ｓ１２）。
【００３１】
室内制御装置に設けられた室内マイクロコンピュータは、室内温度センサー１３およびサーモパイル型赤外線センサー１４で検出され室内温度、床面温度、壁面温度よりユーザーが感じている体感温度Ｂを算出する（例えば、検出した体感温度７℃とする）。
【００３２】
室内機１０は受信した情報（暖房モードと、体感温度Ｂと設定温度Ａの差のデータ）をケーブル４０より室外制御装置２１に送信され、室外マイクロコンピュータの指令により、最適な周波数（暖房モードで、室温を設定温度Ａに速やかに近づける周波数）での運転を圧縮機２２は行う。
【００３３】
ここで、設定温度Ａと体感温度Ｂとの差が、今回示した例（Ａ＝２４℃、Ｂ＝７℃）のように、設定温度Ａ＞体感温度Ｂの場合は、圧縮機２２を動作させる（Ｓ１３、Ｓ１４）。しかし、例えばＡ＝２４℃、Ｂ＝２５℃という場合は、圧縮機２２を動作させずに、Ｓ１３からＳ１１に戻り風向板１７は上を向いたまま、送風装置は停止または微風運転を行う。
【００３４】
圧縮機２２の運転を開始した直後に、風向板１７を下向きにし、送風装置の風量を増加させると、室内熱交換器が充分に暖まっていないため、ユーザーに冷たい調和空気があたり不快に感じる。
【００３５】
そのため、室内熱交換器の温度β［℃］を測定する管温サーミスタ（図示せず）が、管温の閾値α［℃］になるまで送風装置の運転を停止させるか、もしくは微風運転を行う（例えば、管温の閾値αを４０℃とする）。即ち、Ｓ１５で、室内熱交温度β［℃］＜α［℃］の場合は、Ｓ１５の前に戻り、送風装置の運転を停止させるか、もしくは微風運転を行う。
【００３６】
管温サーミスタの検出温度β［℃］が閾値α［℃］（例えばα＝４０℃）になると（Ｓ１５で、室内熱交温度β［℃］≧α［℃］の場合）、図６に示すように風向板１７を下向きにし、送風装置の風量を増加させ吹出し空気３３をユーザーの足元に行くように室内空間３０の暖房運転を行う（Ｓ１６）。
【００３７】
その後、空気調和機は、室温が設定温度Ａ［℃］になるように、圧縮機２２の周波数を可変しながら暖房運転を行う。
【００３８】
従来の空気調和の室内機１０では、天井付近に設置された室内機１０に具備された室内温度センサー１３のみの制御であったため、天井付近にたまる傾向にある暖気によって、ユーザーのいる位置の温度が低いにもかかわらず、設定温度Ａ［℃］に達したと室内制御装置が勘違いする場合があった（特に他暖房機器と併用時に発生し易い）。
【００３９】
この場合、ユーザーは自分のいる位置の温度が低いため、暖房運転しても暖かく感じず、さらに設定温度を上げて、ユーザー付近を暖かい空間にしようと非省エネにつながる行動を行う。
【００４０】
図６は実施の形態１を示す図で、空気調和機で空気を調和する室内空間３０と暖房運転時の風向を示す断面図である。サーモパイル型赤外線センサー１４を搭載した空気調和機の室内機１０では、床面・壁面温度Ｃ３２を検出することができるため、図６のようにユーザーのいる位置をしっかり暖めることができる。
【００４１】
暖房運転中は、室内温度センサー１３は室内温度を、サーモパイル型赤外線センサー１４は、室内空間３０の床面、壁面、天井付近の温度（床面・壁面温度Ｃ３２、天井付近温度Ｔａ３１）を検出し、これらの結果より体感温度Ｂ［℃］を算出し、設定温度Ａ［℃］との差を算出し空気調和機を制御する。
【００４２】
ここで、室内制御装置は、Ｓ１７で設定温度Ａ［℃］より体感温度Ｂ［℃］が高くなった場合、室内空間は設定温度Ａ［℃］達したことを室外機の室外制御装置２１に送信する。
【００４３】
室外制御装置２１は、室内制御装置からの指令を受け室内空間３０がユーザーの設定した温度Ａ［℃］に達し、安定した温度になっていると判断し圧縮機２２の運転を停止する（Ｓ１８）。
【００４４】
図７は実施の形態１を示す図で、空気調和機で空気を調和する室内空間３０と暖房運転時の設定温度に達したときの風向を示す断面図である。このとき、図７に示すように室内機１０の風向板１７は吹出口１２の水平面以上の天井側になるように上向きにし、室内機１０に具備された送風装置は微風運転または、停止させ、吹出し空気３４がユーザーに当たり冷風感を感じさせないように配慮する（Ｓ１９）。
【００４５】
室内空間が設定温度Ａ［℃］に達し、送風装置が微風運転または、停止中の場合も、室内温度センサー１３により室温を検出し、サーモパイル型赤外線センサー１４は検出範囲Ｘで垂直方向を検出し、サーモパイル型赤外線センサー１４を室内機１０の垂直方向を軸として回転させることで左右方向の温度を検出し、床面・壁面温度Ｃ３２、天井付近温度Ｔａ３１を検出する。
【００４６】
図８は実施の形態１を示す図で、空気調和機で空気を調和する室内空間３０とサーキュレート運転時の風向を示す断面図である。検出した結果より、運転時と同様に体感温度Ｂ［℃］を算出し、天井付近温度Ｔａ３１と比較を行い、
Ｔａ−Ｂ＞γ（例えば、γ＝２ｄｅｇ）
または、ユーザーのいる高さである床面・壁面温度Ｃ３２と比較を行い、
Ｔａ−Ｃ＞γ（例えば、γ＝２ｄｅｇ）  
または、ユーザーの設定した設定温度Ａと比較を行い、
Ｔａ−Ａ＞γ（例えば、γ＝２ｄｅｇ）
となっている場合（Ｓ２０）、ユーザーの体感している温度（体感温度Ｂ）に対し、頭上の空気が暖かいと判断し、さらに設定温度Ａと体感温度Ｂとを比較し（Ｓ２１）、設定温度Ａ＜体感温度Ｂの場合は、図８に示すように、室内機１０は、風向板１７を上向きにしたまま、内部に具備された送風装置により吹出し空気３５の風量を増加させ、頭上（天井付近）に溜まった暖かい空気を床面に移動させるサーキュレータ運転を行う（Ｓ２２）。
【００４７】
Ｓ２０で、Ｔａ−Ｂ＞γまたはＴａ−Ｃ＞γまたはＴａ−Ａ＞γを満たさない場合、ユーザーの設定した設定温度Ａ［℃］と体感温度Ｂ［℃］との差を算出し（Ｓ２３）、Ａ＞Ｂの場合は、Ｓ１４に戻る。
【００４８】
また、Ｓ２３でＡ＜Ｂ［ｄｅｇ］の場合は、Ｓ１９に戻る。
【００４９】
尚、Ｓ２１でＡ＞Ｂの場合は、Ｓ１４に戻る。
【００５０】
ここで、頭上の温かい空気をすばやく床面に移動させるために送風装置の風量増加量を最大にすると、ユーザーに気流感（気流を感じるとユーザーは寒いと感じる）を与え逆に不快に感じさせてしまう問題がある。
【００５１】
また、サーキュレータ運転を行う前の運転は、室内空間３０が設定温度Ａに達し、室内機１０は微風運転もしくは、停止の静かな運転をしているため（Ｓ１９）、サーキュレータ運転を行う場合の風量は、一般に図書館や静かな住宅地の昼間レベルといわれている４０［ｄＢＡ］以下の騒音レベルの風量とし、急激な騒音増加を抑制する。なお、この騒音レベルは、当該室内機１０の中心から垂直方向に０．８ｍ下、水平方向に１ｍ離れた地点での騒音を指している。
【００５２】
サーキュレータ運転については、運転時間と床付近の温度および天井付近の温度のみで判断し、天井付近に向かって最大風量で送風した場合、送風音により騒音とユーザーに気流感を与えるだけでなく、設定温度に達していない場合にサーキュレータ運転になる場合があり、ユーザー付近の温度を低下し不快に感じさせる恐れがある。
【００５３】
このように、暖房運転時にサーキュレータ運転を行う場合、室内空間３０の温度が、ユーザーが設定した温度に達し、室内機１０の風向板１７が水平面以上に上向きであり、天井付近温度Ｔａ３１が、設定温度Ａもしくは、体感温度Ｂもしくはユーザーのいる高さの床面・壁面の温度Ｃ３２と比較し、ある閾値γ［ｄｅｇ］以上（例えば、γ＝２ｄｅｇ）の場合に、吹出し風量の騒音レベルが４０［ｄＢＡ］以下のレベルまで風量増加させ、気流感だけでなく、騒音レベル増加による不快感をなくし、かつ、頭上の暖かい空気を床面に移動させる効果が得られる。
【００５４】
実施の形態２．
図９は実施の形態２を示す図で、動作のフローチャート図である。実施の形態１と異なる点は、サーキュレータ運転を行う条件として、体感温度Ｂが設定温度Ａに達して圧縮機２２が一時間当たりに停止する回数Ｚが、閾値ε以上になった場合にサーキュレータ運転を行う条件をｏｒ条件として加える点である。
【００５５】
図９のＳ１８までは、実施の形態１の図５と同様の動作を行う。
【００５６】
Ｓ１８で、室外制御装置２１は、室内制御装置からの指令を受け室内空間３０の空気温度がユーザーの設定した設定温度Ａ［℃］に達し、安定した温度になっていると判断し圧縮機２２の運転を停止する。そして、Ｓ２４で、圧縮機２２が停止した回数Ｚをカウントし、室内制御装置もしくは室外制御装置２１に記憶させる。この圧縮機２２が停止した回数Ｚをカウントして記憶するステップを圧縮機停止回数カウント部とする。
【００５７】
さらに、Ｓ１９で、図７に示すように室内機１０の風向板１７を、吹出口１２の水平面以上の天井側になるように上向きにし、室内機１０に具備された送風装置は微風運転または停止させ、吹出し空気３４がユーザーに当たり冷風感を感じさせないように配慮する。
【００５８】
実施の形態１と同様、室内空間が設定温度Ａ［℃］に達し、送風装置が微風運転または停止中の場合も、室内温度センサー１３により室温を検出し、サーモパイル型赤外線センサー１４は検出範囲Ｘで垂直方向を検出し、サーモパイル型赤外線センサー１４を室内機１０の垂直方向を軸として回転させることで左右方向の温度を検出し、床面・壁面温度Ｃ３２、天井付近温度Ｔａ３１を検出する。
【００５９】
検出した結果より、運転時と同様に体感温度Ｂを算出し、天井付近温度Ｔａ３１と比較を行い、
Ｔａ−Ｂ＞γ（例えばγ＝２ｄｅｇ）
または、ユーザーのいる高さである床面、壁面温度Ｃ３２と比較を行い、
Ｔａ−Ｃ＞γ（例えばγ＝２ｄｅｇ）  
または、ユーザーの設定し設定温度Ａと比較を行い、
Ｔａ−Ａ＞γ（例えばγ＝２ｄｅｇ）
または、
圧縮機停止回数Ｚ＞ε（例えばε＝６［回／時間］）
となっている場合（Ｓ２５）、ユーザーの体感している温度に対し、頭上の空気が暖かいと判断し、図８に示すように、室内機１０は、風向板１７を上向きにしたまま、内部に具備された送風装置により風量を増加させ、頭上に溜まった暖かい空気を床面に移動させるサーキュレータ運転を行う。
【００６０】
このように、サーキュレータ運転を行う条件として、体感温度Ｂが設定温度Ａに達して圧縮機２２が一時間当たりに停止する回数Ｚが、閾値ε以上になった場合にサーキュレータ運転を行う条件をｏｒ条件として加える理由を以下説明する。
【００６１】
空気調和機の暖房運転だけでなく、電気ストーブなど他の暖房器具と併用して暖房を行っている場合、他の暖房器具は暖かい空気を強制的に床面に送るようなことはしないため、暖かい空気は天井付近に溜まってしまう。
【００６２】
このように併用運転の場合、空気調和機の設定温度Ａより体感温度Ｂが高くなり、頻繁に圧縮機２２を停止するモードは入り、かつ単独運転と比較し天井付近に暖かい空気がたまりやすくなる。
【００６３】
そのため、サーキュレータ運転を行う条件として、設定温度Ａに達して圧縮機２２が一時間当たりに停止する回数Ｚが閾値ε以上になった場合（例えばε＝６［回／時間］）にサーキュレータ運転を行う条件をｏｒ条件として加える。
【００６４】
ここで、頭上の温かい空気をすばやく床面に移動させるために送風装置の風量増加量を最大にすると、ユーザーに気流感（気流を感じるとユーザーは寒いと感じる）を与え逆に不快に感じてしまうという問題がある。
【００６５】
また、サーキュレータ運転を行う前の運転は、室内空間３０が設定温度Ａに達し、室内機１０は微風運転もしくは、停止の静かな運転をしているため、サーキュレータ運転を行う場合の風量は、一般に図書館や静かな住宅地の昼間レベルといわれている４０［ｄＢＡ］以下の騒音レベルの風量とし、急激な騒音増加を抑制する。
【００６６】
サーキュレータ運転については、運転時間と床付近の温度および天井付近の温度のみで判断し、天井付近に向かって最大風量で送風した場合、送風音により騒音とユーザーに気流感を与えるだけでなく、設定温度に達していない場合にサーキュレータ運転になる場合があり、ユーザー付近の温度を低下し不快に感じさせる恐れがある。
【００６７】
このように、暖房運転時にサーキュレータ運転を行う場合、室内空間３０の温度が、ユーザーが設定した温度に達し、室内機１０の風向板１７が水平面以上に上向きであり、天井付近温度Ｔａ３１が、設定温度Ａもしくは、体感温度Ｂもしくはユーザーのいる高さの床面・壁面温度Ｃ３２と比較し、ある閾値γ［ｄｅｇ］以上（例えばγ＝２ｄｅｇ）の場合に、吹出し風量の騒音レベルが４０［ｄＢＡ］以下のレベルまで風量増加させ、気流感だけでなく、騒音レベル増加による不快感をなくし、かつ、頭上の暖かい空気を床面に移動させる効果が得られる。
【００６８】
また、圧縮機２２の停止回数Ｚがある閾値ε以上である場合に、前記サーキュレート運転を行う条件として加えることで、サーモパイル型赤外線センサー１４の故障もしくは、検知範囲に邪魔なものがあり天井付近温度Ｔａ３１が測定できなかった場合、もしくは、サーモパイル型赤外線センサー１４未搭載機種についても一定の効果を得ることができる。
【００６９】
また、動作を暖房運転について説明したが、送風運転において、他の暖房器具を使用している場合など、サーモパイル型赤外線センサー１４が室内空間３０全体をセンシングし、天井付近温度Ｔａ３１との体感温度Ｂまたは、ユーザーが居る床面・壁面温度Ｃ３２との比較が、ある閾値γ以上になった場合、サーキュレータ運転が入るようにしても、同様な効果が得られる。
【００７０】
また、室外機２０に設けられたが室外温度センサー２３により、室外温度が低温であると判断した場合（例えば、２℃以下）は、サーキュレータ運転することで、室外の冷気が床面に入り込み不快に感じる恐れがあるため、室外温度センサー２３が低温であると判断した場合には、前記サーキュレータ運転に入る条件が揃ったとしてもサーキュレータ運転を実施させない条件を追加することで、ユーザーが不快に感じる恐れを低減することができる。
【符号の説明】
【００７１】
１０  室内機、１１  吸込口、１２  吹出口、１３  室内温度センサー、１４  サーモパイル型赤外線センサー、１５  受信部、１６  送信部、１７  風向板、１８  プラグ、４０  ケーブル、２０  室外機、２１  室外制御装置、２２  圧縮機、２３  室外温度センサー、２４  熱交換器、２５  送風機、３０  室内空間、３１  天井付近温度Ｔａ、３２  床面・壁面温度Ｃ、３３  吹出し空気、３４  吹出し空気、３５  吹出し空気、４０  ケーブル。
【図１】
0005289392.tif 000002
【図２】
0005289392.tif 000003
【図３】
0005289392.tif 000004
【図４】
0005289392.tif 000005
【図５】
0005289392.tif 000006
【図６】
0005289392.tif 000007
【図７】
0005289392.tif 000008
【図８】
0005289392.tif 000009
【図９】
0005289392.tif 000010